(57)【要約】      （修正有）【課題】ＧＰＳ受信や所内の無線ＬＡＮ（Ｗｉｆｉ）電波が届かない場所であっても、携帯するモバイルＰＣ等が予め設定された移動距離の範囲を超えた場合には、所内ネットワークサーバー等へのアクセスを拒否できるセキュリティ対策が可能となるジャイロセンサを用いたセキュリティシステムを提供する。【解決手段】ＰＣ接続ＵＳＢ端子機器１は、所内無線ＬＡＮ内の図面データ等のみを閲覧可能とする専用ビューワーを有し、少なくとも３軸加速度及び３軸角速度の計測可能な６軸ジャイロセンサ５、所内無線ＬＡＮ電波を受信するＷｉｆｉ受信手段６及び所定のステップを実行可能とするジャイロセンサを用いたセキュリティシステムを格納するメモリ手段４を備えたモバイルＰＣ(携帯型パーソナルコンピュータ)のＵＳＢ端子に接続されＵＳＢバスパワーを備える。【選択図】図２
2017102698.tif 000002
【特許請求の範囲】
【請求項１】
所内無線ＬＡＮ内の図面データ等のみを閲覧可能とする専用ビューワーを有し、少なくとも３軸加速度及び３軸角速度の計測可能な６軸ジャイロセンサ、所内無線ＬＡＮ電波を受信するＷｉｆｉ受信手段及び下記ステップを実行可能とするジャイロセンサを用いたセキュリティシステムを格納するメモリ手段を備えたモバイルＰＣ(携帯型パーソナルコンピュータ)のＵＳＢ端子に接続されＵＳＢバスパワーを備えるＰＣ接続ＵＳＢ端子機器。
（１）前記Ｗｉｆｉ受信機の受信エリアからどの程度離れたら前記ＰＣにロックオン信号を出力するかの距離を予めメモリ手段に記憶するステップ(ステップ１）、
（２）前記Ｗｉｆｉ受信手段が受信信号が切れた（電波受信範囲外）ことを判別するステップ(ステップ２）、
（３）Ｗｉｆｉ受信機の受信信号切れ判別に基づいて前記６軸ジャイロセンサ手段を起動するステップ(ステップ３）、
（４）前記６軸ジャイロセンサ手段の起動時の位置情報を前記メモリ手段に記憶すると共に、前記６軸ジャイロセンサの加速度・角速度・所要時間を計測開始するステップ(ステップ４）、
（５）前記６軸ジャイロセンサの計測結果から当該ＰＣの三次元移動距離を算定するステップ(ステップ５）、
（６）算定された移動距離とステップ１で記憶された距離を比較するステップ(ステップ６)、
（７）算定された移動距離が前記ステップ１で記憶された距離を超えたことを判別するステップ(ステップ７）、
（８）算定された移動距離が前記ステップ１で記憶された距離を超えたときに前記専用ビューワーを終了させ、又は、当該ＰＣのシステムをロックさせるロックオン信号を出力するステップ(ステップ８)。
【請求項２】
所内無線ＬＡＮ内の図面データ等のみを閲覧可能とする専用ビューワーを有し、少なくとも３軸加速度及び３軸角速度計測可能な６軸ジャイロセンサを備え、所内無線ＬＡＮのＷｉｆｉ電波の遮断を判別して、下記ステップを実行可能とするジャイロセンサを用いたセキュリティシステムを格納したことを特徴とするモバイルＰＣ又はモバイル端末。
（１）Ｗｉｆｉエリアから離れたら図面データ閲覧を遮断する距離を予め設定し、記憶するステップ(ステップ１）、
（２）Ｗｉｆｉ電波が遮断されたことを判別するステップ(ステップ２）、
（３）Ｗｉｆｉ電波遮断の判別結果に基づいて判別時の位置情報を記憶すると共に、前記ジャイロセンサの加速度・各速度・所要時間を計測開始するステップ(ステップ３)、
（４）ジャイロセンサ計測結果から三次元移動距離算定し、当該算定距離と前記遮断距離を比較し、当該算定距離が前記遮断距離を超えたときに、当該モバイルＰＣ又はモバイル端末の前記専用ビューワーを終了させるステップ(ステップ４）。
【発明の詳細な説明】
【技術分野】
【０００１】
本発明は、造船所内等において、所内無線ＬＡＮ(ローカルエリアネットワーク)内で閲覧可能な図面データ等をモバイルＰＣ(携帯型パーソナルコンピュータ)等で閲覧する際のセキュリティシステムに関する。
【背景技術】
【０００２】
造船所内においては、建造する船舶等の図面データをモバイルＰＣ(携帯型パーソナルコンピュータ)等で所内随所で閲覧できるシステムが確立されている。この種のシステムにおいては、権原のない第三者が所内ＬＡＮにアクセスをすることができないように不正アクセスを防止するセキュリティ構成がとられている。
【０００３】
この種のネットワーク内への不正アクセスを防止する例としては、例えば、特開平１１-２８２８０３号公報に開示のものが知られている。特開平１１-２８２８０３号公報の開示は、発明名称「不正アクセス防止システム」に係り、「組織外にある端末から公衆網経由で組織内ネットワークヘ接続する場合に、・・・セキュリティの強化を図ることができる不正アクセス防止システムを得ること」を目的とする発明解決課題において(同公報明細書段落番号０００７参照）、「携帯端末からアクセス要求があった場合には前記携帯端末からユーザＩＤ及びパスワードを受け取り登録内容と比較して一致したときはアクセス許可を前記携帯端末に通知し、一致しないときにはアクセス拒否を前記携帯端末に通知するアクセスサーバと、・・・前記アクセスサーバからユーザＩＤ及び第１のユーザ識別情報を受け取り前記第１のユーザ識別情報とスケジュールテーブルに予め登録された第２のユーザ識別情報と比較してその結果を前記アクセスサーバに通知するスケジュール管理装置を備え、前記アクセスサーバは、前記携帯端末からアクセス要求があった場合には前記携帯端末からユーザＩＤ、パスワード及び第１のユーザ識別情報を受け取り前記ユーザＩＤ及びパスワードと登録内容と比較して一致したときは前記ユーザＩＤ及び第１のユーザ識別情報を前記スケジュール管理装置に渡し、また、前記アクセスサーバは、前記スケジュール管理装置から前記比較結果を受け取り前記第１及び第２のユーザ識別情報が一致しているときはアクセス許可を前記携帯端末に通知し、一致していないときにはアクセス拒否を前記携帯端末に通知する」等の構成とすることにより(同公報特許請求の範囲の請求項１の記載等参照）、「２重に接続可否を判定することになり、セキュリティの強化を図ることができる」という効果を奏する(同公報明細書段落番号０１０６等参照）。
【０００４】
そして、この例においては、前記第１のユーザ識別情報は、「ＧＰＳ機能により認識された「位置情報」」であり(同公報段落番号００５８参照)、この位置情報と予め登録された位置情報を比較して一致しない場合にアクセスを拒否するとするものである(同請求項３の記載等参照)。
【０００５】
ここで、ＧＰＳとは、Global Positioning System（全地球測位システム）をいい、この例においては、ＧＰＳの利用が前提とされ、ＧＰＳ受信が可能な領域や所内に設けられた無線通信（Ｗｉｆｉ）設備が設置された所内ではそれなりの効果はあるものの、ＧＰＳの受信が困難で、かつ、無線通信（Ｗｉｆｉ）設備や携帯電話受信の無い（電波の届かない）所内等においては、パスワード入力を所定の時間に限ってアクセスを可能とする時限式セキュリティ対策を有するシステムを利用せざるを得なかった。
【０００６】
ところが、時限式のセキュリティシステムの場合には、制限時間まではパスワードのみのセキュリティとなってしまうため、モバイルＰＣが盗難にあった場合などには不正アクセスに対するセキュリティ確保が困難となる等の問題があった。
【先行技術文献】
【特許文献】
【０００７】
【特許文献１】特開平１１-２８２８０３号公報
【発明の概要】
【発明が解決しようとする課題】
【０００８】
そこで、本願発明は、上記の問題点に鑑み、ＧＰＳ受信や所内の無線ＬＡＮ（Ｗｉｆｉ）電波や携帯電話電波が届かない場所であっても、携帯するモバイルＰＣ等が予め設定された移動距離の範囲を超えた場合には、所内ネットワークサーバー等へのアクセスを拒否できるセキュリティ対策が可能となるジャイロセンサを用いたセキュリティシステムを提供することを目的とする。
【課題を解決するための手段】
【０００９】
上記の課題を解決するために、本願請求項１に係る発明は、所内無線ＬＡＮ内の図面データ等のみを閲覧可能とする専用ビューワーを有し、少なくとも３軸加速度及び３軸角速度の計測可能な６軸ジャイロセンサ、所内無線ＬＡＮ電波を受信するＷｉｆｉ受信手段及び下記ステップを実行可能とするジャイロセンサを用いたセキュリティシステムを格納するメモリ手段を備えたモバイルＰＣ(携帯型パーソナルコンピュータ)のＵＳＢ端子に接続されＵＳＢバスパワーを備えるＰＣ接続ＵＳＢ端子機器。
（１）前記Ｗｉｆｉ受信機の受信エリアからどの程度離れたら前記ＰＣにロックオン信号を出力するかの距離を予めメモリ手段に記憶するステップ(ステップ１）、
（２）前記Ｗｉｆｉ受信手段が受信信号が切れた（電波受信範囲外）ことを判別するステップ(ステップ２）、
（３）Ｗｉｆｉ受信機の受信信号切れ判別に基づいて前記６軸ジャイロセンサ手段を起動するステップ(ステップ３）、
（４）前記６軸ジャイロセンサ手段の起動時の位置情報を前記メモリ手段に記憶すると共に、前記６軸ジャイロセンサの加速度・角速度・所要時間を計測開始するステップ(ステップ４）、
（５）前記６軸ジャイロセンサの計測結果から当該ＰＣの三次元移動距離を算定するステップ(ステップ５）、
（６）算定された移動距離とステップ１で記憶された距離を比較するステップ(ステップ６)、
（７）算定された移動距離が前記ステップ１で記憶された距離を超えたことを判別するステップ(ステップ７）、
（８）算定された移動距離が前記ステップ１で記憶された距離を超えたときに前記専用ビューワーを終了させ、又は、当該ＰＣのシステムをロックさせるロックオン信号を出力するステップ(ステップ８)。
また、本願請求項２に係る発明は、所内無線ＬＡＮ内の図面データ等のみを閲覧可能とする専用ビューワーを有し、少なくとも３軸加速度及び３軸角速度計測可能な６軸ジャイロセンサを備え、所内無線ＬＡＮのＷｉｆｉ電波の遮断を判別して、下記ステップを実行可能とするジャイロセンサを用いたセキュリティシステムを格納したことを特徴とするモバイルＰＣ又はモバイル端末。
（１）Ｗｉｆｉエリアから離れたら図面データ閲覧を遮断する距離を予め設定し、記憶するステップ(ステップ１）、
（２）Ｗｉｆｉ電波が遮断されたことを判別するステップ(ステップ２）、
（３）Ｗｉｆｉ電波遮断の判別結果に基づいて判別時の位置情報を記憶すると共に、前記ジャイロセンサの加速度・各速度・所要時間を計測開始するステップ(ステップ３)、
（４）ジャイロセンサ計測結果から三次元移動距離算定し、当該算定距離と前記遮断距離を比較し、当該算定距離が前記遮断距離を超えたときに、当該モバイルＰＣ又はモバイル端末の前記専用ビューワーを終了させるステップ(ステップ４）。
【発明の効果】
【００１０】
ＧＰＳ電波や無線ＬＡＮ通信（Ｗｉｆｉ）電波や携帯電話電波に依存しない、内蔵するジャイロセンサ出力のみに基づいて、Ｗｉｆｉエリア外となった場所でのセキュリティ対策が可能となる。
【図面の簡単な説明】
【００１１】
【図１】図１は、本発明に係るジャイロセンサを用いたセキュリティシステムを実施するためにＰＣ(パーソナルコンピュータ)のＵＳＢ端子接続機器内に収納する一実施例である実施例１を示す図である。
【図２】図２は、当該セキュリティシステムを内蔵するＰＣ接続ＵＳＢ端子機器１の内部構成を示す概念図である。
【図３】図３は、本実施例１に係るジャイロセンサを用いたセキュリティシステムを内蔵するＰＣ接続ＵＳＢ端子機器１が使用され、Ｗｉｆｉ電波が受信できなくなったときにロックオン信号が発せられる使用状況を示す概念図である。
【図４】図４は、前記ＰＣ接続ＵＳＢ端子機器１の前記実行手段３における各機能の処理ステップを示すフロー図である。
【発明を実施するための形態】
【００１２】
本発明に係るジャイロセンサを用いたセキュリティシステムを実施するための形態として一実施例を示す図面に基づき詳細に説明する。
【実施例１】
【００１３】
図１は、本発明に係るジャイロセンサを用いたセキュリティシステムを実施するためにＰＣ(パーソナルコンピュータ)のＵＳＢ端子接続機器内に収納する一実施例である実施例１を示す図である。
図１において、１は、本実施例１に係るジャイロセンサを用いたセキュリティシステムを内蔵するＵＳＢバスパワーを備えるＰＣ接続ＵＳＢ端子機器であり、２は、ＰＣであり、当該ＰＣ接続ＵＳＢ端子機器１にバスパワー供給により駆動される。
【００１４】
また、図２は、当該セキュリティシステムを内蔵するＰＣ接続ＵＳＢ端子機器１の内部構成を示す概念図であり、図２において、３は、本実施例１に係るジャイロセンサを用いたセキュリティシステムを実行するＣＰＵ(中央演算装置)からなる実行手段、４は、本実施例１に係るジャイロセンサを用いたセキュリティシステムを格納する外、所定の位置情報等を記憶させるメモリ手段、５は、３軸加速度及び３軸角速度を所定のサンプリング時間で相関して計測する６軸ジャイロセンサ手段、６は、無線ＬＡＮ電波を受信するＷｉｆｉ受信手段、７は、前記６軸ジャイロセンサ手段５を前記ＰＣ２からの信号により前記６軸ジャイロセンサ手段６を起動するジャイロオン（Ｇｙｒｏ ｏｎ）信号入力端、８は、前記実行手段３から前記ＰＣ２を停止させるロックオン（Ｒｏｃｋ ｏｎ）信号出力端である。
【００１５】
また、図３は、本実施例１に係るジャイロセンサを用いたセキュリティシステムを内蔵するＰＣ接続ＵＳＢ端子機器１が使用され、Ｗｉｆｉ電波が受信できなくなったときにロックオン信号が発せられる使用状況を示す概念図である。
図３のハッチングで示した領域９は、例えば、造船所内の建造ドック及びその艤装場所を示し、ＷｉＦｉ電波が受信できる領域を示している。
【００１６】
また、図３の丸印は、本実施例１に係るジャイロセンサを用いたセキュリティシステムを内蔵するＰＣ接続ＵＳＢ端子機器１を示し、丸印範囲内が本実施例１に係るジャイロセンサを用いたセキュリティシステムを内蔵するＰＣ接続ＵＳＢ端子機器１の使用可能範囲、すなわち、Ｗｉｆｉ電波が受信できなくなった場合にロックオン信号を発する範囲を示しており、ＯＮは、Ｗｉｆｉ電波受信状態を、ＯＦＦは、Ｗｉｆｉ電波受信不可状態を示している。なお、点線四角で示した符号１０は、造船所等のブロック艤装(１辺が１０ｍ〜２０ｍ程度の立方体単位での作業)における一ブロック１０を示している。この種のブロック１０は、通常、１辺が１０ｍ〜２０ｍ程度の立方体単位で、鋼鉄製のブロック１０の近辺ではＷｉｆｉ発信器位置との関係でＷｉｆｉ電波が受信できなくなることがあり、Ｗｉｆｉエリア９であるにもかかわらず、本実施例１に係るジャイロセンサを用いたセキュリティシステムを内蔵するＰＣ接続ＵＳＢ端子機器１がＯＮ状態であったり、ＯＦＦ状態となったりして、ブロック１０によってＷｉｆｉ電波受信が
ＯＮ状態、ＯＦＦ状態となることがあることを示している。
【００１７】
そして、図３においては、本実施例１に係るジャイロセンサを用いたセキュリティシステムを内蔵するＰＣ接続ＵＳＢ端子機器１において、前記Ｗｉｆｉ電波受信がＯＦＦ状態となり、さらに、本実施例１に係るジャイロセンサを用いたセキュリティシステムを内蔵するＰＣ接続ＵＳＢ端子機器１が丸印範囲で示される使用可能範囲を越えたときに、前記ロックオン信号が発せられるように構成される。
【００１８】
ここに本実施例１に係るジャイロセンサを用いたセキュリティシステムを内蔵するＰＣ接続ＵＳＢ端子機器１の使用可能範囲は、前記ブロック艤装のブロック１０が、１辺が１０ｍ〜２０ｍ程度であることから、ブロック１０によるＷｉｆｉ電波切れを考慮して、本実施例１に係るジャイロセンサを用いたセキュリティシステムを内蔵するＰＣ接続ＵＳＢ端子機器１の当該使用可能範囲を構内に散在するブロック１０の最大長半径１０ｍ〜２０ｍを使用可能範囲として予め設定する。
【００１９】
１０ｍ〜２０ｍの前記使用可能範囲とすれば、本実施例１に係るジャイロセンサを用いたセキュリティシステムを内蔵するＰＣ接続ＵＳＢ端子機器１によるジャイロ計測でも十分に使用可能なＯＮ、ＯＦＦがあったとしても、Ｗｉｆｉ電波受信不可エリアから本実施例１に係るジャイロセンサを用いたセキュリティシステムを内蔵するＰＣ接続ＵＳＢ端子機器１が１０ｍ〜２０ｍ離れたときにロックオン信号を発するようにすれば、内蔵するジャイロセンサ５の出力のみに基づいて、Ｗｉｆｉエリア外となった場所でのセキュリティ対策が可能となることが分かった。
【００２０】
そして、本実施例１に係るジャイロセンサを用いたセキュリティシステムを内蔵するＰＣ接続ＵＳＢ端子機器１では、前記Ｗｉｆｉ受信手段６がＷｉｆｉ受信電波を受けなくなったとき（つまり、前記ＯＦＦ状態のとき、又は、前記ジャイロオン信号入力端７から入力信号があったとき）に前記６軸ジャイロセンサ手段５が起動され、当該起動時における位置情報(例えば、「ゼロ地点」）を前記メモリ手段４に記憶すると共に、さらに、当該位置情報を起点として、前記６軸ジャイロセンサ手段５の加速度及び角加速度から当該ＰＣ２の移動距離を計測する。当該移動距離は、前記６軸ジャイロセンサ手段５の角速度計測による移動方向、加速度×時間の総計により、三次元移動距離を計測する。
【００２１】
そして、その計測移動距離が予め記憶された所定の使用可能距離（本実施例１に係るジャイロセンサを用いたセキュリティシステムを内蔵するＰＣ接続ＵＳＢ端子機器１においては、１０ｍ〜２０ｍの予め設定された距離）を超えたときには、前記ロックオン信号出力端８から、前記ＰＣ２を停止するkillコマンドやshutdownコマンド等のロックオン信号を発し、ＰＣ２を停止させる。
これらの一連のステップの実行からなる本実施例１に係るジャイロセンサを用いたセキュリティシステムは、予め前記メモリ手段４内に格納され、当該セキュリティシステムの予め定められた以下の各処理ステップを前記６軸ジャイロセンサ手段５から得られる移動距離を前記実行手段３により処理することにより実現されることとなる。
【００２２】
図４は、上記のように構成されるＰＣ接続ＵＳＢ端子機器１の前記実行手段３における各機能の処理ステップを示すフロー図である。
各ステップをフローに従って説明する。
【００２３】
（１）まず、Wifiエリア９からどの程度離れたらRock on信号を出力するかの前記使用可能距離（１０ｍ〜２０ｍ）を予め設定し、メモリ手段４に記憶する(ステップ１）
（２）Wifi受信手段６が受信信号が切れた（電波受信範囲外）ことを判別する(ステップ２）
（３）Wifi受信信号切れ判別に基づいて前記６軸ジャイロセンサ手段５を起動する(ステップ３）
（４）前記６軸ジャイロセンサ手段５の起動時の当該ＰＣ２の位置情報(例えば、基点ゼロ)をメモリ手段４に記憶すると共に、６軸ジャイロセンサ手段６の加速度・角速度・所要時間を計測開始する(ステップ４)
（５）６軸ジャイロセンサ手段６の計測結果から三次元移動距離を算定する(ステップ５)
（６）算定移動距離と前記ステップ１で記憶された使用可能距離を比較する(ステップ６)
（７）算定移動距離が前記ステップ１で記憶された使用可能距離を超えたことを判別する(ステップ７）
（８）算定移動距離が前記ステップ１で記憶された距離を超えたときに当該ＰＣ２をシステムロックさせるロックオン信号を出力する(ステップ８)
ロックオン信号が出力されると、これを受けたＰＣ２は、システムをロックさせ、以降のネットワークへのアクセスが切断され、図面データ等を見ることができなくなる。これはＬＡＮ側で切断処理を行うのではなく、ＰＣ２内で行われる。
【００２４】
なお、本実施例１に係るジャイロセンサを用いたセキュリティシステムを内蔵するＵＳＢバスパワーを備えるＰＣ接続ＵＳＢ端子機器１においては、上述するように、オフラインでのセキュア通信(社内無線ＬＡＮによるWifi)圏外になるとジャイロ計測開始し、これを基準位置とし、これから一定距離を離れるとシステムをロックするRock on信号を出力するようにしたが、これは、オンラインでのデータ通信しかできない場合には、無線ＬＡＮ電波を受信するＷｉｆｉ受信手段６を介することなく、前記ＰＣ２内の内蔵Ｗｉｆｉ受信手段(図示外)からの信号を前記ジャイロオン（Ｇｙｒｏ ｏｎ）信号入力端７を介して前記６軸ジャイロセンサ手段６を起動するようにしても良く、この場合には、ジャイロオン（Ｇｙｒｏ ｏｎ）入力信号が送られた位置を基準位置としても良い。
【００２５】
さらに、本実施例１に係るジャイロセンサを用いたセキュリティシステムを内蔵するＵＳＢバスパワーを備えるＰＣ接続ＵＳＢ端子機器１においては、前記ロックオン信号に代えて、図面データ等の専用ビューワーソフト(アプリケーション)自体を使用不可能にする信号とするか、又は、閲覧していた図面データ等を削除又は復原不可能状態するする信号を発するようにしても良い。ここに、専用ビューワーは、所内図面データ等に特異のデータが予め紐付けられ、所内図面データ等を閲覧する際には、必ず紐付けデータへのアクセス許可がなければ閲覧することができないビューワーをいう。
【００２６】
なお、一旦、Ｗｉｆｉ電波受信がＯＦＦとなっても,その後、Ｗｉｆｉ電波受信がＯＮとなった場合には、専用ビューワーの起動コマンドを前記ＰＣ２に送出し、その後のログイン・パスワード入力により、再閲覧可能としても良い。
このようにすることで、ＧＰＳ受信や所内の無線ＬＡＮ（Ｗｉｆｉ）電波に依存することなく、本実施例１に係るジャイロセンサを用いたセキュリティシステムを内蔵するＰＣ接続ＵＳＢ端子機器１をＰＣ２のＵＳＢ端末に接続するだけで、ＧＰＳ電波やＷｉｆｉ電波、携帯電話電波の依存を排除して、ジャイロセンサの計測結果だけに基づいて、当該ＰＣが予め設定された移動距離の範囲を超えた場合には、所内ネットワークサーバー等へのアクセスを拒否できるセキュリティ対策が可能となる。
【実施例２】
【００２７】
本実施例１に係るジャイロセンサを用いたセキュリティシステムを内蔵するＰＣ接続ＵＳＢ端子機器１においては、ＵＳＢバスパワーを備えるＰＣ接続ＵＳＢ端子機器として構成し、さらには、実行ＣＰＵ(中央演算装置)からなる実行手段３、システム格納、位置情報等記憶させるメモリ手段４、６軸ジャイロセンサ手段６、Ｗｉｆｉ受信手段６、６軸ジャイロセンサ手段６を起動するジャイロオン（Ｇｙｒｏ ｏｎ）信号入力端７、前記ＰＣ２を停止させるロックオン（Ｒｏｃｋ ｏｎ）信号出力端８からなるものとして構成したが、近年のモバイルＰＣやモバイル端末には、ジャイロセンサ手段が内蔵され、これらのモバイルＰＣやモバイル端末自身が本来的に前記ＣＰＵ手段やメモリ手段、Ｗｉｆｉ受信手段を備える。
【００２８】
そこで、本発明に係るジャイロセンサを用いたセキュリティシステムを実施する実施例２として、ジャイロセンサ手段が内蔵され、ＣＰＵ手段やメモリ手段、Ｗｉｆｉ受信手段を備える所内無線ＬＡＮ内の図面データ等を閲覧可能なモバイルＰＣ又はモバイル端末での使用を前提として、本実施例２に係るジャイロセンサを用いたセキュリティシステムは、前提とする当該モバイルＰＣ又はモバイル端末内の前記メモリ手段に格納され、上記実施例１において実行される上述の各ステップを実行する記憶媒体に記憶される実行可能なアプリケーション形式のジャイロセンサを用いたセキュリティシステムとしたものである。
【００２９】
もちろん、モバイルＰＣ又はモバイル端末内の前記メモリ手段に格納され、各ステップを実行するのであるから、実施例１に係るジャイロセンサを用いたセキュリティシステムを内蔵するＰＣ接続ＵＳＢ端子機器１に存する前記ジャイロオン（Ｇｙｒｏ ｏｎ）信号入力端７や前記ＰＣ２を停止させるロックオン（Ｒｏｃｋ ｏｎ）信号出力端８は不要であり、ジャイロオン信号は常時ジャイロオン状態とし、ＰＣロックオン信号は直接モバイルＰＣやモバイル端末をロックオンしたり、予め格納される所内図面データを閲覧するための専用ビューワーソフトを使用不可能にする信号であっても良い。
【００３０】
また、使用される加速度及び角速度を計測するジャイロセンサは、モバイルＰＣ又はモバイル端末への組込みに適したシリアル接続又はＣＡＮ対応（コントローラエリアネットワーク対応）のものが使用される。
【００３１】
つまり本実施例２に係るジャイロセンサを用いたセキュリティシステムは、少なくとも３軸加速度及び３軸角速度計測可能なジャイロセンサを備え、所内無線ＬＡＮのＷｉｆｉ受信により所内ＬＡＮ内の図面等データを閲覧可能な専用ビューワーを備えるモバイルＰＣ又はモバイル端末であって、
（１）Wifiエリアから離れたら図面データ等の閲覧を遮断する距離を予め設定し、記憶する(ステップ１）
（２）Wifi電波の遮断を判別する(ステップ２）
（３）Wifi電波遮断の判別結果に基づいて判別時の位置情報(例えば、基点ゼロ)を記憶すると共に、ジャイロセンサの加速度・各速度・所要時間を計測開始する(ステップ３)
（４）ジャイロセンサ計測結果から当該モバイルＰＣ又はモバイル端末の三次元移動距離算定し、当該算定距離と前記遮断距離を比較し、当該算定距離が前記遮断距離を超えたときに、当該モバイルＰＣ又はモバイル端末の専用ビューワーを終了させる信号を出力する(ステップ４)
からなるように構成する。
【００３２】
なお、上述するように、当該モバイルＰＣ又はモバイル端末がＷｉｆｉ受信域内に再来した場合には、閲覧復原等が可能としても良い。
このような構成とすることで、少なくとも加速度及び角速度計測可能なジャイロセンサを備え、所内無線ＬＡＮのＷｉｆｉ受信により所内ＬＡＮ内の図面等データを閲覧可能な専用ビューワーを備えるモバイルＰＣ又はモバイル端末であっても、ＧＰＳ電波や所内の無線ＬＡＮ（Ｗｉｆｉ）電波受信への依存を排除して、域外から所定の距離に移動した場合には、ジャイロセンサの計測結果のみで所内無線ＬＡＮ内の図面データ等の閲覧を遮断するセキュリティ対策に優れたモバイルＰＣ又はモバイル端末とすることができる。
し、また、Ｗｉｆｉ受信域内に再来した場合には、閲覧復原等が可能となる
【産業上の利用可能性】
【００３３】
本発明は、造船所内等において、所内無線ＬＡＮ(ローカルエリアネットワーク)内で閲覧可能な図面データ等をモバイルＰＣ(携帯型パーソナルコンピュータ)等で閲覧する際のセキュリティシステムに利用される。
【符号の説明】
【００３４】
１ 本実施例１に係るジャイロセンサを用いたセキュリティシステムを内蔵するＰＣ接続ＵＳＢ端子機器
２ ＰＣ(パーソナルコンピュータ)
３ 実行手段
４ メモリ手段
５ ６軸ジャイロセンサ手段
６ Ｗｉｆｉ受信手段
７ ジャイロオン信号入力端
８ ロックオン信号出力端
９ Ｗｉｆｉエリア
１０ ブッロク艤装ブロック
【図１】
2017102698.tif 000003
【図２】
2017102698.tif 000004
【図３】
2017102698.tif 000005
【図４】
2017102698.tif 000006
【手続補正書】
【提出日】平成29年3月2日(2017.3.2)
【手続補正１】
【補正対象書類名】特許請求の範囲
【補正対象項目名】請求項２
【補正方法】変更
【補正の内容】
【請求項２】
所内無線ＬＡＮ内の図面データ等のみを閲覧可能とする専用ビューワーを有し、少なくとも３軸加速度及び３軸角速度計測可能な６軸ジャイロセンサを備え、所内無線ＬＡＮのＷｉｆｉ電波の遮断を判別して、下記ステップを実行可能とするジャイロセンサを用いたセキュリティシステムを格納したことを特徴とするモバイルＰＣ又はモバイル端末。
（１）Ｗｉｆｉエリアから離れたら図面データ閲覧を遮断する距離を予め設定し、記憶するステップ(ステップ１）、
（２）Ｗｉｆｉ電波が遮断されたことを判別するステップ(ステップ２）、
（３）Ｗｉｆｉ電波遮断の判別結果に基づいて判別時の位置情報を記憶すると共に、前記ジャイロセンサの加速度・角速度・所要時間を計測開始するステップ(ステップ３)、
（４）ジャイロセンサ計測結果から三次元移動距離算定し、当該算定距離と前記遮断距離を比較し、当該算定距離が前記遮断距離を超えたときに、当該モバイルＰＣ又はモバイル端末の前記専用ビューワーを終了させるステップ(ステップ４）。
【手続補正２】
【補正対象書類名】明細書
【補正対象項目名】０００９
【補正方法】変更
【補正の内容】
【０００９】
上記の課題を解決するために、本願請求項１に係る発明は、所内無線ＬＡＮ内の図面データ等のみを閲覧可能とする専用ビューワーを有し、少なくとも３軸加速度及び３軸角速度の計測可能な６軸ジャイロセンサ、所内無線ＬＡＮ電波を受信するＷｉｆｉ受信手段及び下記ステップを実行可能とするジャイロセンサを用いたセキュリティシステムを格納するメモリ手段を備えたモバイルＰＣ(携帯型パーソナルコンピュータ)のＵＳＢ端子に接続されＵＳＢバスパワーを備えるＰＣ接続ＵＳＢ端子機器。
（１）前記Ｗｉｆｉ受信機の受信エリアからどの程度離れたら前記ＰＣにロックオン信号を出力するかの距離を予めメモリ手段に記憶するステップ(ステップ１）、
（２）前記Ｗｉｆｉ受信手段が受信信号が切れた（電波受信範囲外）ことを判別するステップ(ステップ２）、
（３）Ｗｉｆｉ受信機の受信信号切れ判別に基づいて前記６軸ジャイロセンサ手段を起動するステップ(ステップ３）、
（４）前記６軸ジャイロセンサ手段の起動時の位置情報を前記メモリ手段に記憶すると共に、前記６軸ジャイロセンサの加速度・角速度・所要時間を計測開始するステップ(ステップ４）、
（５）前記６軸ジャイロセンサの計測結果から当該ＰＣの三次元移動距離を算定するステップ(ステップ５）、
（６）算定された移動距離とステップ１で記憶された距離を比較するステップ(ステップ６)、
（７）算定された移動距離が前記ステップ１で記憶された距離を超えたことを判別するステップ(ステップ７）、
（８）算定された移動距離が前記ステップ１で記憶された距離を超えたときに前記専用ビューワーを終了させ、又は、当該ＰＣのシステムをロックさせるロックオン信号を出力するステップ(ステップ８)。
また、本願請求項２に係る発明は、所内無線ＬＡＮ内の図面データ等のみを閲覧可能とする専用ビューワーを有し、少なくとも３軸加速度及び３軸角速度計測可能な６軸ジャイロセンサを備え、所内無線ＬＡＮのＷｉｆｉ電波の遮断を判別して、下記ステップを実行可能とするジャイロセンサを用いたセキュリティシステムを格納したことを特徴とするモバイルＰＣ又はモバイル端末。
（１）Ｗｉｆｉエリアから離れたら図面データ閲覧を遮断する距離を予め設定し、記憶するステップ(ステップ１）、
（２）Ｗｉｆｉ電波が遮断されたことを判別するステップ(ステップ２）、
（３）Ｗｉｆｉ電波遮断の判別結果に基づいて判別時の位置情報を記憶すると共に、前記ジャイロセンサの加速度・角速度・所要時間を計測開始するステップ(ステップ３)、
（４）ジャイロセンサ計測結果から三次元移動距離算定し、当該算定距離と前記遮断距離を比較し、当該算定距離が前記遮断距離を超えたときに、当該モバイルＰＣ又はモバイル端末の前記専用ビューワーを終了させるステップ(ステップ４）。
【手続補正３】
【補正対象書類名】明細書
【補正対象項目名】００３１
【補正方法】変更
【補正の内容】
【００３１】
つまり本実施例２に係るジャイロセンサを用いたセキュリティシステムは、少なくとも３軸加速度及び３軸角速度計測可能なジャイロセンサを備え、所内無線ＬＡＮのＷｉｆｉ受信により所内ＬＡＮ内の図面等データを閲覧可能な専用ビューワーを備えるモバイルＰＣ又はモバイル端末であって、
（１）Wifiエリアから離れたら図面データ等の閲覧を遮断する距離を予め設定し、記憶する(ステップ１）
（２）Wifi電波の遮断を判別する(ステップ２）
（３）Wifi電波遮断の判別結果に基づいて判別時の位置情報(例えば、基点ゼロ)を記憶すると共に、ジャイロセンサの加速度・角速度・所要時間を計測開始する(ステップ３)
（４）ジャイロセンサ計測結果から当該モバイルＰＣ又はモバイル端末の三次元移動距離算定し、当該算定距離と前記遮断距離を比較し、当該算定距離が前記遮断距離を超えたときに、当該モバイルＰＣ又はモバイル端末の専用ビューワーを終了させる信号を出力する(ステップ４)
からなるように構成する。